(57)【要約】【課題】  たとえば、家庭内のネットワーク対応の予約録画機器を複数台用いて予約録画を行う場合、家庭内のどの機器と、どの機器が連携して予約録画を行うのかを、簡単に知ることができないという課題があった。【解決手段】  固有なＵＵＩＤをもち；設定された番組の予約録画を実行するＰＶＲ２と、固有なＵＵＩＤをもち；自身が制御するＰＶＲ２がもつＵＵＩＤと、設定された番組の予約録画を実行するための予約録画情報とを少なくとも記載する予約録画エントリを予約録画エントリ保存部８ａに保持するとともに；自身が保持する予約録画エントリに基づいてＰＶＲ２を制御するＳＴＢ１と、設定された番組の予約録画を実行するＰＶＲ２がもつＵＵＩＤと、その予約録画を実行するＰＶＲ２を制御するＳＴＢ１がもつＵＵＩＤと、設定された番組の予約録画を実行するための予約録画情報との組み合わせに関する表示を行うＰＣ３とを備えた、予約録画システムである。【選択図】  図１
2006115400.tif 000002
【特許請求の範囲】
【請求項１】
固有な録画装置識別子をそれぞれもち；外部からの指示に応じて設定された番組の予約録画をそれぞれ実行する；所定のネットワークに接続された一台または複数台の録画装置と、
固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；前記所定のネットワークに接続された一台または複数台の録画制御装置と、
前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う；前記所定のネットワークに接続された表示装置とを備えた、予約録画表示システム。
【請求項２】
前記表示装置は、前記所定のネットワークを利用して、少なくとも前記録画制御装置予約録画エントリを見ることにより、前記表示を行う請求項１記載の、予約録画表示システム。
【請求項３】
前記設定された番組の予約録画が実行される際にその予約録画を実行する前記録画装置を制御する録画制御装置がもつ録画制御装置識別子と、前記設定された番組の予約録画を実行するための予約録画情報とは、前記所定のネットワークを利用して、前記設定された番組の予約録画を実行する前記録画装置に通知され、
前記録画装置は、前記通知された前記設定された番組の予約録画を実行する際に自身を制御する録画制御装置がもつ録画制御装置識別子と、前記通知された前記設定された番組の予約録画を実行するための予約録画情報とを少なくとも記載する録画装置予約録画エントリを所定の録画装置予約録画エントリメモリに保持する請求項１記載の、予約録画表示システム。
【請求項４】
前記表示装置は、前記所定のネットワークを利用して、少なくとも前記録画装置予約録画エントリを見ることにより、前記表示を行う請求項３記載の、予約録画表示システム。
【請求項５】
前記所定のネットワークは、ＵＰｎＰが使用可能なネットワークであり、
前記録画装置識別子は、前記録画装置がもつＵＵＩＤであり、
前記録画制御装置識別子は、前記録画制御装置がもつＵＵＩＤであり、
前記設定された番組に対しては、前記録画装置において固有な前記録画装置におけるＯｂｊｅｃｔＩＤが割り当てられるとともに、前記録画制御装置において固有な前記録画制御装置におけるＯｂｊｅｃｔＩＤが割り当てられる請求項４記載の、予約録画表示システム。
【請求項６】
前記設定された番組の予約録画が実行される際にその予約録画を実行する前記録画装置を制御する録画制御装置がもつＵＵＩＤが、前記設定された番組に対して割り当てられた前記録画制御装置におけるＯｂｊｅｃｔＩＤとともに、前記設定された番組の予約録画を実行する前記録画装置に対して通知された後に、
前記録画装置においては、前記録画装置予約録画エントリがその通知された前記録画制御装置におけるＯｂｊｅｃｔＩＤを付加して生成され、
前記録画制御装置においては、前記設定された番組に対して割り当てられた前記録画装置におけるＯｂｊｅｃｔＩＤが通知され、前記録画制御装置予約録画エントリはその通知された前記録画装置におけるＯｂｊｅｃｔＩＤを付加して生成される請求項５記載の、予約録画表示システム。
【請求項７】
前記設定された番組の予約録画が実行される際にその予約録画を実行する前記録画装置を制御する録画制御装置がもつＵＵＩＤが、前記設定された番組の予約録画を実行する前記録画装置に対して通知される前に、
前記録画制御装置においては、前記録画制御装置予約録画エントリが一旦生成され、
前記設定された番組の予約録画が実行される際にその予約録画を実行する前記録画装置を制御する録画制御装置がもつＵＵＩＤが、前記設定された番組に対して割り当てられた前記録画制御装置におけるＯｂｊｅｃｔＩＤとともに、前記設定された番組の予約録画を実行する前記録画装置に対して通知された後に、
前記録画装置においては、前記録画装置予約録画エントリがその通知された前記録画制御装置におけるＯｂｊｅｃｔＩＤを付加して生成され、
前記録画制御装置においては、前記設定された番組に対して割り当てられた前記録画装置におけるＯｂｊｅｃｔＩＤが通知され、前記一旦生成された録画制御装置予約録画エントリにはその通知された前記録画装置におけるＯｂｊｅｃｔＩＤが付加される請求項５記載の、予約録画表示システム。
【請求項８】
少なくとも前記外部からの指示に応じて前記番組の予約録画を設定する設定装置をさらに備えた請求項１記載の、予約録画表示システム。
【請求項９】
前記表示装置は、前記録画装置および前記録画制御装置に関する座標と前記番組に関する座標とを両座標とする行列表を利用して、前記表示を行う請求項１記載の、予約録画表示システム。
【請求項１０】
前記予約録画情報は、前記番組の予約録画が実行される予約録画時間に関するデータをもっており、
前記表示装置は、前記録画装置および前記録画制御装置に関する座標と前記予約録画時間に関する座標とを両座標とする座標平面における棒グラフを利用して表示される請求項１記載の、予約録画表示システム。
【請求項１１】
前記棒グラフは、前記予約録画が実行される番組ごとに共通な色および／またはパターンで塗られた、前記予約録画時間に関する座標の方向に長さをもつバーを有する請求項１０記載の、予約録画表示システム。
【請求項１２】
固有な録画装置識別子をそれぞれもち；外部からの指示に応じて設定された番組の予約録画をそれぞれ実行する；一台または複数台の録画装置と、固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；一台または複数台の録画制御装置とが接続された所定のネットワークに接続された、前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う表示手段を備えた、予約録画表示装置。
【請求項１３】
固有な録画装置識別子をそれぞれもち；外部からの指示に応じて設定された番組の予約録画をそれぞれ実行する；一台または複数台の録画装置と、固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；一台または複数台の録画制御装置とが接続された所定のネットワークを利用して、前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う表示ステップを備えた、予約録画表示方法。
【請求項１４】
請求項１３記載の予約録画表示方法の、固有な録画装置識別子をそれぞれもち；外部からの指示に応じて設定された番組の予約録画をそれぞれ実行する；一台または複数台の録画装置と、固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；一台または複数台の録画制御装置とが接続された所定のネットワークを利用して、前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う表示ステップをコンピュータに実行させるためのプログラム。
【請求項１５】
請求項１４記載のプログラムを担持した記録媒体であって、コンピュータにより処理可能な記録媒体。
【発明の詳細な説明】
【技術分野】
【０００１】
本発明は、たとえば、家庭内のネットワーク対応の予約録画機器を複数台用いる予約録画に利用できる、予約録画表示システム、予約録画表示装置、予約録画表示方法、プログラム、および記録媒体に関するものである。
【背景技術】
【０００２】
ネットワークに接続された機器の検出と制御を可能にするためにユニバーサルプラグアンドプレイ（以下、ＵＰｎＰ）と呼ばれるプロトコルが規格化されている（たとえば、特許文献１および非特許文献１参照）。
【０００３】
ＵＰｎＰは標準ＴＣＰ／ＩＰおよびインターネットプロトコルを使用し、ほかのデバイスの存在と機能について情報を得たり、自らのもつ機能を通知したりする、などの機能を実現するものである。これにより、周辺機器のセットアップ、設定および追加が容易に行える。
【０００４】
ＵＰｎＰネットワークの基本構成単位はデバイス、サービス、コントロールポイントである。
【０００５】
ＵＰｎＰデバイスは制御の最小ユニットであるサービスを格納している機器である。たとえばＶＴＲデバイスは、テープ送りサービスとチューナサービス、クロックサービスから構成されると表現することができる。コントロールポイントは、ほかのデバイスを検出、制御可能なコントローラである。
【０００６】
新しくネットワークに接続されるＵＰｎＰデバイスは最初にネットワークに参加するためのアドレスの取得を行う。
【０００７】
各デバイスの持つＤＨＣＰクライアントがＤＨＣＰサーバから自動的にアドレスを割り当てられる。
【０００８】
新規デバイスにアドレスが割り当てられていて通信可能となると、各デバイスやサービスのＧＥＮＡ  アドバタイズをマルチキャスト（ＵＤＰ）送信してその存在をアナウンスするとともに、サービスをアドバタイズする検出メッセージをする。
【０００９】
なお、アドバタイズは期限切れになる前に再送信する必要がある。
【００１０】
また、デバイスは、オフラインになる前に退場を明示したメッセージを送信する。
【００１１】
ネットワーク上のコントロールポイントは、ＳＳＤＰ検出メッセージをマルチキャストして関連デバイスやサービスを検索する能力を持つ（Ｍ−ＳＥＡＲＣＨ）。
【００１２】
検索メッセージは、ＨＴＴＰＭＵを使用して送信されたＳＳＤＰ要求の形式であり、ＵＰｎＰ運営委員会が定義した、あるいはベンダ固有のデバイスやサービスのタイプやＩＤなどが含まれている。
【００１３】
全デバイスはこのメッセージの標準マルチキャストアドレスをリッスンして、デバイスの持つサービスが検出メッセージの検索基準に一致するかどうかを応答する必要がある。
【００１４】
検索要求への応答は、ＳＳＤＰヘッダの付いたユニキャストＵＤＰを使って検索を開始したコントロールポイントのＩＰアドレスに送信される。
【００１５】
さて、たとえばコントロールポイントがビデオ制御アプリケーションである場合には、ＡＶコンテンツのサーバとなるデバイスを検索し、ネットワーク上のすべてのビデオデバイスが表示され、ＤＶＤプレーヤーを選択することができる。
【００１６】
受信した検索要求のレスポンスには、ＤｅｖｉｃｅＤｅｓｃｒｉｐｔｉｏｎを取得できるＵＲＬが含まれている。
【００１７】
ＵＰｎＰのＤｅｖｉｃｅＤｅｓｃｒｉｐｔｉｏｎを取得するため、コントロールポイントは検出メッセージのＵＲＬにＨＴＴＰ  ＧＥＴ要求を発行し、デバイスはＤｅｖｉｃｅＤｅｓｃｒｉｐｔｉｏｎを返す。
【００１８】
ＤｅｖｉｃｅＤｅｓｃｒｉｐｔｉｏｎは、そのデバイスタイプが提供するサービスセットの情報のほか、デバイス名とアイコンなどデバイスに関連したプロパティをＸＭＬ形式でリストする。
【００１９】
ＳｅｒｖｉｃｅＤｅｓｃｒｉｐｔｉｏｎへのポインタ（ＵＲＬ）は、ＤｅｖｉｃｅＤｅｓｃｒｉｐｔｉｏｎドキュメントに含まれており、ＳｅｒｖｉｃｅＤｅｓｃｒｉｐｔｉｏｎはＤｅｖｉｃｅＤｅｓｃｒｉｐｔｉｏｎと同じ方法で取得できる。
【００２０】
ＳｅｒｖｉｃｅＤｅｓｃｒｉｐｔｉｏｎはデバイスが提供するサービスの情報が記述されているＸＭＬドキュメントである。
【００２１】
具体的にはＡＶコンテンツの一覧を表示するためのコンテンツディレクトリサービス、ＡＶストリーミングを制御するためのＡＶトランスポートサービス等がＵＰｎＰ運営委員会により定義されている。
【００２２】
ＵＰｎＰ運営委員会が定義したサービス以外でも、ベンダ固有のサービスを提供することが可能である。
【００２３】
ところで、ここ数年ネットワークに接続可能なＰＶＲが商品化され始めた。
【００２４】
また、放送の形態も従来の地上波アナログ放送以外に、ＢＳ、ＣＳといった衛星デジタル放送や、ケーブル放送、地上波デジタル放送などが本格化し、多様化し始めている。
【００２５】
そのような状況下ではユーザが予約録画したい番組がＰＶＲの内蔵チューナでは受信できず、別途専用のセットトップボックスの出力を予約録画しなければならない状況が考えられる。
【特許文献１】特開２００４−２２８８４９号公報
【非特許文献１】マイクロソフト  コーポレーション（Ｍｉｃｒｏｓｏｆｔ  Ｃｏｒｐｏｒａｔｉｏｎ）、“ユニバーサル  プラグ  アンド  プレイ  デバイス  アーキテクチャ（Ｕｎｉｖｅｒｓａｌ  Ｐｌｕｇ  ａｎｄ  Ｐｌａｙ  Ｄｅｖｉｃｅ  Ａｒｃｈｔｅｃｔｕｒｅ）”、［ｏｎｌｉｎｅ］、ＵＰｎＰ  Ｆｏｒｕｍ、２０００年６月８日午前１０時４１分、［平成１６年８月２４日検索］、Ｖｅｒｓｉｏｎ  １．０、インターネット＜ＵＲＬ：  ｈｔｔｐ：／／ｗｗｗ．ｕｐｎｐ．ｏｒｇ／ｄｏｗｎｌｏａｄ／ＵＰｎＰＤＡ１０＿２００００６１３．ｈｔｍ＞
【発明の開示】
【発明が解決しようとする課題】
【００２６】
しかしながら、たとえば、家庭内のネットワーク対応の予約録画機器を複数台用いて予約録画を行う場合、家庭内のどの機器と、どの機器が連携して予約録画を行うのかを、簡単に知ることができないという課題があった。
【００２７】
本発明は、上記従来のこのような課題を考慮し、たとえば、家庭内のネットワーク対応の予約録画機器を複数台用いて予約録画を行う場合、家庭内のどの機器と、どの機器が連携して予約録画を行うのかを、簡単に知ることができる予約録画表示システム、予約録画表示装置、予約録画表示方法、プログラム、および記録媒体を提供することを目的とする。
【課題を解決するための手段】
【００２８】
第１の本発明は、固有な録画装置識別子をそれぞれもち；外部からの指示に応じて設定された番組の予約録画をそれぞれ実行する；所定のネットワークに接続された一台または複数台の録画装置と、
固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；前記所定のネットワークに接続された一台または複数台の録画制御装置と、
前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う；前記所定のネットワークに接続された表示装置とを備えた、予約録画表示システム。
【００２９】
第２の本発明は、前記表示装置は、前記所定のネットワークを利用して、少なくとも前記録画制御装置予約録画エントリを見ることにより、前記表示を行う第１の本発明の、予約録画表示システム。
【００３０】
第３の本発明は、前記設定された番組の予約録画が実行される際にその予約録画を実行する前記録画装置を制御する録画制御装置がもつ録画制御装置識別子と、前記設定された番組の予約録画を実行するための予約録画情報とは、前記所定のネットワークを利用して、前記設定された番組の予約録画を実行する前記録画装置に通知され、
前記録画装置は、前記通知された前記設定された番組の予約録画を実行する際に自身を制御する録画制御装置がもつ録画制御装置識別子と、前記通知された前記設定された番組の予約録画を実行するための予約録画情報とを少なくとも記載する録画装置予約録画エントリを所定の録画装置予約録画エントリメモリに保持する第１の本発明の、予約録画表示システム。
【００３１】
第４の本発明は、前記表示装置は、前記所定のネットワークを利用して、少なくとも前記録画装置予約録画エントリを見ることにより、前記表示を行う第３の本発明の、予約録画表示システム。
【００３２】
第５の本発明は、前記所定のネットワークは、ＵＰｎＰが使用可能なネットワークであり、
前記録画装置識別子は、前記録画装置がもつＵＵＩＤであり、
前記録画制御装置識別子は、前記録画制御装置がもつＵＵＩＤであり、
前記設定された番組に対しては、前記録画装置において固有な前記録画装置におけるＯｂｊｅｃｔＩＤが割り当てられるとともに、前記録画制御装置において固有な前記録画制御装置におけるＯｂｊｅｃｔＩＤが割り当てられる第４の本発明の、予約録画表示システム。
【００３３】
第６の本発明は、前記設定された番組の予約録画が実行される際にその予約録画を実行する前記録画装置を制御する録画制御装置がもつＵＵＩＤが、前記設定された番組に対して割り当てられた前記録画制御装置におけるＯｂｊｅｃｔＩＤとともに、前記設定された番組の予約録画を実行する前記録画装置に対して通知された後に、
前記録画装置においては、前記録画装置予約録画エントリがその通知された前記録画制御装置におけるＯｂｊｅｃｔＩＤを付加して生成され、
前記録画制御装置においては、前記設定された番組に対して割り当てられた前記録画装置におけるＯｂｊｅｃｔＩＤが通知され、前記録画制御装置予約録画エントリはその通知された前記録画装置におけるＯｂｊｅｃｔＩＤを付加して生成される第５の本発明の、予約録画表示システム。
【００３４】
第７の本発明は、前記設定された番組の予約録画が実行される際にその予約録画を実行する前記録画装置を制御する録画制御装置がもつＵＵＩＤが、前記設定された番組の予約録画を実行する前記録画装置に対して通知される前に、
前記録画制御装置においては、前記録画制御装置予約録画エントリが一旦生成され、
前記設定された番組の予約録画が実行される際にその予約録画を実行する前記録画装置を制御する録画制御装置がもつＵＵＩＤが、前記設定された番組に対して割り当てられた前記録画制御装置におけるＯｂｊｅｃｔＩＤとともに、前記設定された番組の予約録画を実行する前記録画装置に対して通知された後に、
前記録画装置においては、前記録画装置予約録画エントリがその通知された前記録画制御装置におけるＯｂｊｅｃｔＩＤを付加して生成され、
前記録画制御装置においては、前記設定された番組に対して割り当てられた前記録画装置におけるＯｂｊｅｃｔＩＤが通知され、前記一旦生成された録画制御装置予約録画エントリにはその通知された前記録画装置におけるＯｂｊｅｃｔＩＤが付加される第５の本発明の、予約録画表示システム。
【００３５】
第８の本発明は、少なくとも前記外部からの指示に応じて前記番組の予約録画を設定する設定装置をさらに備えた第１の本発明の、予約録画表示システム。
【００３６】
第９の本発明は、前記表示装置は、前記録画装置および前記録画制御装置に関する座標と前記番組に関する座標とを両座標とする行列表を利用して、前記表示を行う第１の本発明の、予約録画表示システム。
【００３７】
第１０の本発明は、前記予約録画情報は、前記番組の予約録画が実行される予約録画時間に関するデータをもっており、
前記表示装置は、前記録画装置および前記録画制御装置に関する座標と前記予約録画時間に関する座標とを両座標とする座標平面における棒グラフを利用して表示される第１の本発明の、予約録画表示システム。
【００３８】
第１１の本発明は、前記棒グラフは、前記予約録画が実行される番組ごとに共通な色および／またはパターンで塗られた、前記予約録画時間に関する座標の方向に長さをもつバーを有する第１０の本発明の、予約録画表示システム。
【００３９】
第１２の本発明は、固有な録画装置識別子をそれぞれもち；外部からの指示に応じて設定された番組の予約録画をそれぞれ実行する；一台または複数台の録画装置と、固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；一台または複数台の録画制御装置とが接続された所定のネットワークに接続された、前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う表示手段を備えた、予約録画表示装置。
【００４０】
第１３の本発明は、固有な録画装置識別子をそれぞれもち；外部からの指示に応じて設定された番組の予約録画をそれぞれ実行する；一台または複数台の録画装置と、固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；一台または複数台の録画制御装置とが接続された所定のネットワークを利用して、前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う表示ステップを備えた、予約録画表示方法。
【００４１】
第１４の本発明は、第１３の本発明の予約録画表示方法の、固有な録画装置識別子をそれぞれもち；外部からの指示に応じて設定された番組の予約録画をそれぞれ実行する；一台または複数台の録画装置と、固有な録画制御装置識別子をそれぞれもち；前記設定された番組の予約録画が実行される際に自身が制御する録画装置がもつ録画装置識別子と、前記設定された番組の予約録画を実行するための予約録画情報とを少なくとも記載する録画制御装置予約録画エントリをそれぞれ所定の録画制御装置予約録画エントリメモリに保持するとともに；自身が保持する前記録画制御装置予約録画エントリに基づいて前記録画装置をそれぞれ制御する；一台または複数台の録画制御装置とが接続された所定のネットワークを利用して、前記設定された番組の予約録画を実行する録画装置がもつ録画装置識別子と、前記設定された番組の予約録画が実行される際にその予約録画を実行する前記録画装置を制御する録画制御装置がもつ録画制御装置識別子と、前記設定された番組の予約録画を実行するための予約録画情報との組み合わせに関する表示を行う表示ステップをコンピュータに実行させるためのプログラム。
【００４２】
第１５の本発明は、第１４の本発明のプログラムを担持した記録媒体であって、コンピュータにより処理可能な記録媒体。
【発明の効果】
【００４３】
本発明は、たとえば、家庭内のネットワーク対応の予約録画機器を複数台用いて予約録画を行う場合、家庭内のどの機器と、どの機器が連携して予約録画を行うのかを、簡単に知ることができるという長所を有する。
【発明を実施するための最良の形態】
【００４４】
以下、本発明の実施の形態について、図面を用いて説明する。
【００４５】
（実施の形態１）
はじめに、本発明の実施の形態１の予約録画システムのブロック図である図１を主として参照しながら、本実施の形態の予約録画システムの構成について説明する。
【００４６】
本実施の形態の予約録画システムは、ＰＶＲ２と、ＳＴＢ１と、ＰＣ３とを備えた予約録画システムである。
【００４７】
ＰＶＲ２は、固有なＵＵＩＤをもち；外部からの指示に応じて設定された番組の予約録画を実行する；家庭内ネットワーク４に接続されたＰＶＲである。
【００４８】
ＳＴＢ１は、固有なＵＵＩＤをもち；設定された番組の予約録画が実行される際に自身が制御するＰＶＲ２がもつＵＵＩＤと、設定された番組の予約録画を実行するための予約録画情報とを少なくとも記載する予約録画エントリを予約録画エントリ保存部８ａに保持するとともに；自身が保持する予約録画エントリに基づいてＰＶＲ２を制御する；家庭内ネットワーク４に接続されたＳＴＢである。
【００４９】
ＰＣ３は、設定された番組の予約録画を実行するＰＶＲ２がもつＵＵＩＤと、設定された番組の予約録画が実行される際にその予約録画を実行するＰＶＲ２を制御するＳＴＢ１がもつＵＵＩＤと、設定された番組の予約録画を実行するための予約録画情報との組み合わせに関する表示を行う；家庭内ネットワーク４に接続されたＰＣである。
【００５０】
ここで、本実施の形態の予約録画システムの構成についてより詳細に説明する。
【００５１】
１は第１の機器であるセットトップボックス（以下、ＳＴＢ）、２は第２の機器であるハードディスクを利用するパーソナルビデオレコーダ（以下、ＰＶＲ）、３はパーソナルコンピュータ（以下、ＰＣ）、４は家庭内ネットワーク、５ａ、５ｂ及び５ｃはＳＴＢ１、ＰＶＲ２及びＰＣ３がそれぞれ家庭内ネットワーク４を介して互いに接続可能なネットワークインターフェイス、６ａ、６ｃはＳＴＢ１、ＰＣ３を構成するＵＰｎＰのＵＰｎＰコントロールポイント、７ａ、７ｂはＵＰｎＰで予約録画のサービスを提供するＵＰｎＰサービス、８ａ、８ｂは１つの予約録画を行う為のチャンネル、時間等の情報セット（以下、予約録画エントリ）の群を保存するためのメモリを有する予約録画エントリ保存部、９ａ、９ｂはチューナ、１０は録画手段、１１ａ、１１ｃはグラフィックユーザインターフェイス（以下、ＧＵＩ）である。
【００５２】
つぎに、本発明の実施の形態１の予約録画システムの動作説明図である図２を主として参照しながら、本実施の形態の予約録画システムの動作について説明する。なお、本実施の形態の予約録画システムの動作について説明しながら、本発明の予約録画表示方法の一実施の形態についても説明する（その他の実施の形態についても、同様である）。
【００５３】
ユーザはＧＵＩ１１ａを見ながらＳＴＢ１を操作している。ユーザはある放送番組を予約録画しようとしている。
【００５４】
当該放送番組は地上波デジタル放送の放送番組のため、ＰＶＲ２の内蔵チューナ９ｂでは録画することは出来ない。
【００５５】
そこで、ＳＴＢ１の受信出力をＰＶＲ２に入力し録画することにする。
【００５６】
当該放送番組の放送開始時間に、ＳＴＢ１が当該放送番組の放送チャンネルを受信するようにチューナ９ａを予約し、ＰＶＲ２が当該放送番組の放送時間にＳＴＢ１の受信出力を入力し録画手段１０で予約録画する。
【００５７】
ＳＴＢ１に設定する第１の予約録画情報を図１０に示す。
【００５８】
この第１の予約録画情報に対応する第１の予約録画エントリをＵＰｎＰサービス７ａで生成、公開する前に、ＳＴＢ１は第１の予約録画エントリを一意に示す第１の識別子をあらかじめ決めておく（図２のステップＳ１）。
【００５９】
本実施の形態では、ＳＴＢ１内でユニークであるＯｂｊｅｃｔＩＤと全世界でユニークなＵＵＩＤのペアを識別子として用いる。ＵＵＩＤは通常１２８ｂｉｔで表現されるが、本実施の形態では簡単のためＳＴＢ１のＵＵＩＤをＡと表記している。ＯｂｊｅｃｔＩＤは前述したコンテンツディレクトリサービスでも用いられているストリングであり、サービス内でユニークになるように割り当てる。本実施の形態では１２３という数字で例示している。これらを：（コロン）で結合して第１の識別子＝Ａ：１２３としている。
【００６０】
次に、ＳＴＢ１を構成するＵＰｎＰコントロールポイント６ａは、ＰＶＲ２を構成するＵＰｎＰサービス７ｂへ、第２の予約録画エントリの生成を要求する（図２のステップＳ２）。
【００６１】
第２の予約録画エントリの元になる予約録画情報を図１１に示す。図１０に示した予約録画情報と時間情報が一致している。
【００６２】
このとき、同時に図２のステップＳ１で決定した第１の識別子、Ａ：１２３をＰＶＲ２へ伝える。
【００６３】
生成要求の例を図１２に示す。前述したコンテンツディレクトリサービスで用いられるＣｒｅａｔｅＯｂｊｅｃｔ  ＳＯＡＰアクションと同様、生成する第２の予約録画エントリを表すＸＭＬドキュメントをＳＯＡＰアクションの引数に格納しＰＶＲ２へ伝えている。実際に引数に格納する際はＸＭＬエスケープを行って格納するが、図１２は視認性を高めるためエスケープ前の形で表現している。太字で示した、＜ｃｏｒｒｅｓｐｏｎｄｉｎｇＩＤ＞Ａ：１２３＜／ｃｏｒｒｅｓｐｏｎｄｉｎｇＩＤ＞の部分が第１の識別子を伝えるためのタグである。
【００６４】
生成要求を受けたＰＶＲ２を構成するＵＰｎＰサービス７ｂは、第２の予約録画エントリを生成する（図２のステップＳ３）。本実施の形態では、ＳＯＡＰアクションで入手したＸＭＬドキュメントにＯｂｊｅｃｔＩＤを付加することで生成する。ＯｂｊｅｃｔＩＤは先に説明したようにサービス内でユニークであり本実施の形態では６７８９という数字で例示している。
【００６５】
生成した第２の予約録画エントリを図１３に示す。第２の予約録画エントリは第１の識別子Ａ：１２３を含んでいる。生成した第２の予約録画エントリはＰＶＲ２を構成する予約録画エントリ保存部８ｂに保存される。
【００６６】
生成完了後、ＰＶＲ２を構成するＵＰｎＰサービス７ｂは、ＳＴＢ１を構成するＵＰｎＰコントロールポイント６ａへ生成が完了したことを通知する（図２のステップＳ４）。通知はＳＯＡＰアクションで行われる。レスポンスには生成した第２の予約録画エントリが含まれている。
【００６７】
レスポンスの例を図１４に示す。実際に引数に格納する際はＸＭＬエスケープを行って格納するが、図１４は視認性を高めるためエスケープ前の形で表現している。
【００６８】
ＳＴＢ１を構成するＵＰｎＰコントロールポイント６ａは、図１４に示したレスポンスを受けた後、自身のＵＰｎＰサービス７ａへ第１の予約録画エントリを生成する（図２のステップＳ５）。このとき、ＳＴＢ１を構成するＵＰｎＰサービス７ａは、ＰＶＲ２のＵＵＩＤであるＢと、ＰＶＲ２を構成するＵＰｎＰサービス７ｂに生成された第２の予約録画エントリのＯｂｊｅｃｔＩＤである６７８９より、第２の識別子、Ｂ：６７８９を得て、第１の予約録画エントリに付加する。
【００６９】
図１５に生成した第１の予約録画エントリを示す。生成した第１の予約録画エントリはＳＴＢ１を構成する予約録画エントリ保存部８ａに保存される。
【００７０】
以上のようにして、第１の予約録画エントリには第２の識別子が、第２の予約録画エントリには第１の識別子が、それぞれ含まれる。
【００７１】
後日ユーザが家庭内ネットワーク４を介してＰＣ３からＰＶＲ２の予約録画情報の一覧を取得する場合を考える。
【００７２】
ユーザはＰＣ３を構成するＵＰｎＰコントロールポイント６ｃを用いて、ＰＶＲ２を構成するＵＰｎＰサービス７ｂに予約録画エントリのリストを取得する（図２のステップＳ６）。
【００７３】
予約録画エントリのリスト取得の例を図１６に示す。前述したコンテンツディレクトリサービスで用いられるＢｒｏｗｓｅ  ＳＯＡＰアクションのレスポンスと同様、ＵＰｎＰサービス７ｂが管理する予約録画エントリ群を表すＸＭＬドキュメント群がＳＯＡＰアクションの引数に格納されてＵＰｎＰコントロールポイント６ｃへ返送される。実際に引数に格納する際はＸＭＬエスケープを行って格納するが、図１６は視認性を高めるためエスケープ前の形で表現している。図１６は簡単のため２つの予約録画エントリがＰＶＲ２に設定されている例であり、それぞれの予約録画エントリを図１６中に１６１、１６２に示している。１６１はＰＶＲ２が自身に内蔵しているチューナ９ｂを用いて予約録画を行う予約録画エントリである。一方、１６２は、前述のステップＳ１〜Ｓ５で生成された第２の予約録画エントリであり、第１の識別子であるＡ：１２３を含む。
【００７４】
ＰＣ３を構成するＵＰｎＰコントロールポイント６ｃは、１６２に示す第２の予約録画エントリがＵＵＩＤ＝ＡのＳＴＢ１のチューナ９ａを用いた予約録画エントリと関連していることを検出する（図２のステップＳ７）。
【００７５】
ＰＣ３を構成するＵＰｎＰコントロールポイント６ｃは１６２に示す第２の予約録画エントリの関連する、ＳＴＢ１の予約録画エントリの詳細情報を取得するため、ＳＴＢ１の予約録画エントリリスト取得する（図２のステップＳ８）。
【００７６】
図１７に予約録画エントリのリスト取得の例を示す。視認性を高めるためエスケープ前の形で表現しており、また簡単のため１つの予約録画エントリがＳＴＢ１に設定されている例を示している。図１７中、１７１が前述のステップＳ１〜Ｓ５で生成された第１の予約録画エントリであり、第２の識別子であるＢ：６７８９を含む。
【００７７】
ＰＣ３を構成するＵＰｎＰコントロールポイント６ｃは、１７１に示す第１の予約録画エントリがＵＵＩＤ＝ＢのＰＶＲ２上の第２の予約録画エントリと関連していることを検出する。
【００７８】
その結果、ＰＣ３を構成するＵＰｎＰコントロールポイント６ｃはステップＳ６、Ｓ７、Ｓ８の結果をもとに、図３に示すような予約録画一覧をＧＵＩ１１ｃへ表示することが可能となる（図２のステップＳ９）。
【００７９】
以上のように本実施の形態によれば、ＳＴＢ１とＰＶＲ２が連携して予約録画を行うことが第３の機器であるＰＣ３から知ることが出来る。ユーザは予約録画のリスト管理を効率的かつ的確に行える効果がある。
【００８０】
なお、本実施の形態では、２つの機器が関連する例を示したが、関連する機器が３つ以上の場合であっても識別子を伝えるためのタグである＜ｃｏｒｒｅｓｐｏｎｄｉｎｇＩＤ＞に複数の識別子を格納すればよい。複数格納する方法としてはコンマ区切りリストを用いればよい（その他の実施の形態においても同様である）。
【００８１】
なお、本発明の録画装置はＰＶＲ２に対応し、本発明の録画制御装置はＳＴＢ１に対応し、本発明の表示装置はＰＣ３に対応し、本発明の予約録画表示システムは本実施の形態の予約録画システムに対応する。また、本発明の表示手段はＵＰｎＰコントロールポイント６ｃに対応し、本発明の予約録画表示装置はＰＣ３に対応する。
【００８２】
（実施の形態２）
つぎに、実施の形態２の予約録画システムの構成および動作について説明する。
【００８３】
本実施の形態の構成は前述した実施の形態１の構成（図１参照）と同様であり、本実施の形態と実施の形態１との違いは、予約録画エントリを生成するタイミングの違いである。
【００８４】
そこで、図１及び実施の形態２の動作説明図である図４を主として参照しながら、本実施の形態の動作を説明する。
【００８５】
ユーザはＧＵＩ１１ａを見ながらＳＴＢ１を操作している。ユーザはある放送番組を予約録画しようとしている。当該放送番組は地上波デジタル放送の放送番組のため、ＰＶＲ２の内蔵チューナ９ｂでは録画することは出来ない。そこで、ＳＴＢ１の受信出力をＰＶＲ２に入力し録画することにする。当該放送番組の放送開始時間に、ＳＴＢ１が当該放送番組の放送チャンネルを受信するようにチューナ９ａを予約し、ＰＶＲ２が当該放送番組の放送時間にＳＴＢ１の受信出力を入力し録画手段１０で予約録画する。
【００８６】
ＳＴＢ１に設定する第１の予約録画情報を図１０に示す。
【００８７】
この第１の予約録画情報に対応する第１の予約録画エントリをＵＰｎＰサービス７ａで生成する。（図４のステップＳ２１）。第１の予約録画エントリに付加するＳＴＢ１内でユニークであるＯｂｊｅｃｔＩＤとして、本実施の形態では、１２３という数字で例示している。このＯｂｊｅｃｔＩＤと全世界でユニークなＵＵＩＤのペアを第１の予約録画エントリの識別子として用いる。これらを：（コロン）で結合して第１の識別子＝Ａ：１２３としている。ＵＵＩＤとＯｂｊｅｃｔＩＤの詳細については実施の形態１で説明したのでここでは説明を省略する。
【００８８】
次に、ＳＴＢ１を構成するＵＰｎＰコントロールポイント６ａは、ＰＶＲ２を構成するＵＰｎＰサービス７ｂへ、第２の予約録画エントリの生成を要求する（図４のステップＳ２２）。
【００８９】
第２の予約録画エントリの元になる予約録画情報を図１１に示す。図１０に示した予約録画情報と時間情報が一致している。
【００９０】
このとき、同時に図４のステップＳ２１で決定した第１の識別子、Ａ：１２３をＰＶＲ２へ伝える。
【００９１】
生成要求の例を図１２に示す。前述したコンテンツディレクトリサービスで用いられるＣｒｅａｔｅＯｂｊｅｃｔ  ＳＯＡＰアクションと同様、生成する第２の予約録画エントリを表すＸＭＬドキュメントをＳＯＡＰアクションの引数に格納しＰＶＲ２へ伝えている。太字で示した、＜ｃｏｒｒｅｓｐｏｎｄｉｎｇＩＤ＞Ａ：１２３＜／ｃｏｒｒｅｓｐｏｎｄｉｎｇＩＤ＞の部分が第１の識別子を伝えるためのタグである。
【００９２】
生成要求を受けたＰＶＲ２を構成するＵＰｎＰサービス７ｂは、第２の予約録画エントリを生成する（図４のステップＳ２３）。本実施の形態では、ＳＯＡＰアクションで入手したＸＭＬドキュメントにＯｂｊｅｃｔＩＤを付加することで生成する。ＯｂｊｅｃｔＩＤは先に説明したようにサービス内でユニークであり本実施の形態では６７８９という数字で例示している。
【００９３】
生成した第２の予約録画エントリを図１３に示す。第２の予約録画エントリは第１の識別子Ａ：１２３を含んでいる。
【００９４】
生成した第２の予約録画エントリはＰＶＲ２を構成する予約録画エントリ保存部８ｂに保存される。
【００９５】
生成完了後、ＰＶＲ２を構成するＵＰｎＰサービス７ｂは、ＳＴＢ１を構成するＵＰｎＰコントロールポイント６ａへ生成が完了したことを通知する（図４のステップＳ２４）。通知はＳＯＡＰアクションで行われる。レスポンスには生成した第２の予約録画エントリが含まれている。
【００９６】
レスポンスの例を図１４に示す。
【００９７】
ＳＴＢ１を構成するＵＰｎＰコントロールポイント６ａは、図１４に示したレスポンスを受けた後、自身のＵＰｎＰサービス７ａが管理する第１の予約録画エントリに第２の識別子を付加する（図４のステップＳ２５）。第２の識別子は、ＰＶＲ２のＵＵＩＤであるＢと、ＰＶＲ２を構成するＵＰｎＰサービス７ｂに生成された第２の予約録画エントリのＯｂｊｅｃｔＩＤである６７８９を：（コロン）で結合したＢ：６７８９である。
【００９８】
以上のようにして、第１の予約録画エントリには第２の識別子が、第２の予約録画エントリには第１の識別子が、それぞれ含まれる。
【００９９】
後日ユーザが家庭内ネットワーク４を介してＰＣ３からＰＶＲ２の予約録画情報の一覧を取得する場合を考える。
【０１００】
ユーザはＰＣ３を構成するＵＰｎＰコントロールポイント６ｃを用いて、ＰＶＲ２を構成するＵＰｎＰサービス７ｂに予約録画エントリのリストを取得する  （図４のステップＳ２６）。
【０１０１】
予約録画エントリのリスト取得の例を図１６に示す。前述したコンテンツディレクトリサービスで用いられるＢｒｏｗｓｅ  ＳＯＡＰアクションのレスポンスと同様、ＵＰｎＰサービス７ｂが管理する予約録画エントリ群を表すＸＭＬドキュメント群がＳＯＡＰアクションの引数に格納されてＵＰｎＰコントロールポイント６ｃへ返送される。
【０１０２】
ＰＣ３を構成するＵＰｎＰコントロールポイント６ｃは、１６２に示す第２の予約録画エントリがＵＵＩＤ＝ＡのＳＴＢ１のチューナ９ａを用いた予約録画エントリと関連していることを検出する（図４のステップＳ２７）。
【０１０３】
ＰＣ３を構成するＵＰｎＰコントロールポイント６ｃは１６２に示す第２の予約録画エントリの関連する、ＳＴＢ１の予約録画エントリの詳細情報を取得するため、ＳＴＢ１の予約録画エントリリスト取得する（図４のステップＳ２８）。
【０１０４】
図１７に予約録画エントリのリスト取得の例を示す。
【０１０５】
ＰＣ３を構成するＵＰｎＰコントロールポイント６ｃは、１７１に示す第１の予約録画エントリがＵＵＩＤ＝ＢのＰＶＲ２上の第２の予約録画エントリと関連していることを検出する。
【０１０６】
その結果、ＰＣ３を構成するＵＰｎＰコントロールポイント６ｃはステップＳ２６、Ｓ２７、Ｓ２８の結果をもとに、図３に示すような予約録画一覧をＧＵＩ１１ｃへ表示することが可能となる（図４のステップＳ２９）。
【０１０７】
（実施の形態３）
つぎに、実施の形態３の予約録画システムの構成および動作について説明する。
【０１０８】
図５は、本実施の形態のブロック図であって、ＳＴＢ１、ＰＶＲ２、及びＰＣ３は先の実施の形態１及び実施の形態２と同じであるので説明を省略する。３ｂはＰＣであり、３ｂを構成する５ｄはネットワークインターフェイス、６ｄはＵＰｎＰコントロールポイント、１１ｄはＧＵＩである。
【０１０９】
そこで、図５及び実施の形態３の動作説明図である図６を主として参照しながら、本実施の形態の動作を説明する。
【０１１０】
ユーザはＧＵＩ１１ｄを見ながらＳＴＢ１、ＰＶＲ２を家庭内ネットワーク４を介し操作して、ユーザはある放送番組を予約録画しようとしている。当該放送番組は地上波デジタル放送の放送番組のため、ＰＶＲ２の内蔵チューナ９ｂでは録画することは出来ない。そこで、ＳＴＢ１の受信出力をＰＶＲ２に入力し録画することにする。当該放送番組の放送開始時間に、ＳＴＢ１が当該放送番組の放送チャンネルを受信するようにチューナ９ａを予約し、ＰＶＲ２が当該放送番組の放送時間にＳＴＢ１の受信出力を入力し録画手段１０で予約録画する。
【０１１１】
ＳＴＢ１に設定する第１の予約録画情報を図１０に示す。この第１の予約録画情報に対応する第１の予約録画エントリをＵＰｎＰサービス７ａで生成するように、ＰＣ３ｂを構成するＵＰｎＰコントロールポイントからＳＴＢ１を構成するＵＰｎＰサービス７ａに対し生成を要求する。（図６のステップＳ３１）。
【０１１２】
生成要求の例を図１８に示す。前述したコンテンツディレクトリサービスで用いられるＣｒｅａｔｅＯｂｊｅｃｔ  ＳＯＡＰアクションと同様、生成する第１の予約録画エントリを表すＸＭＬドキュメントをＳＯＡＰアクションの引数に格納しＰＶＲ２へ伝えている。実際に引数に格納する際はＸＭＬエスケープを行って格納するが、図１８では視認性を高めるためエスケープ前の形で表現している。
【０１１３】
生成要求を受けたＳＴＢ１を構成するＵＰｎＰサービス７ａは、第１の予約録画エントリを生成する（図６のステップＳ３２）。本実施の形態では、ＳＯＡＰアクションで入手したＸＭＬドキュメントにＯｂｊｅｃｔＩＤを付加することで生成する。ＯｂｊｅｃｔＩＤは先に説明したようにサービス内でユニークであり本実施の形態では１２３という数字で例示している。
【０１１４】
生成した第１の予約録画エントリを図１３に示す。生成した第１の予約録画エントリはＳＴＢ１を構成する予約録画エントリ保存部８ａに保存される。第１の予約録画エントリに付加するＳＴＢ１内でユニークであるＯｂｊｅｃｔＩＤとして、本実施の形態では、１２３という数字で例示している。ＯｂｊｅｃｔＩＤの詳細については実施の形態１で説明したのでここでは説明を省略する。
【０１１５】
生成完了後、ＳＴＢ１を構成するＵＰｎＰサービス７ａは、ＰＣ３ｂを構成するＵＰｎＰコントロールポイント６ｄへ生成が完了したことを通知する（図６のステップＳ３３）。通知はＳＯＡＰアクションで行われる。レスポンスには生成した第２の予約録画エントリが含まれている。
【０１１６】
レスポンスの例を図１９に示す。
【０１１７】
次に、ＰＣ３ｂを構成するＵＰｎＰコントロールポイント６ｄは、ＰＶＲ２を構成するＵＰｎＰサービス７ｂへ、第２の予約録画エントリの生成を要求する（図６のステップＳ３４）。
【０１１８】
第２の予約録画エントリの元になる予約録画情報を図１１に示す。図１０に示した予約録画情報と時間情報が一致している。
【０１１９】
このとき、同時に図６のステップＳ３３で得た第１の予約録画エントリのＯｂｊｅｃｔＩＤと、ＳＴＢ１のＵＵＩＤより、第１の識別子として、Ａ：１２３をＰＶＲ２へ伝える。ＵＵＩＤの詳細については実施の形態１で説明したのでここでは説明を省略する。
【０１２０】
生成要求の例を図１２に示す。前述したコンテンツディレクトリサービスで用いられるＣｒｅａｔｅＯｂｊｅｃｔ  ＳＯＡＰアクションと同様、生成する第２の予約録画エントリを表すＸＭＬドキュメントをＳＯＡＰアクションの引数に格納しＰＶＲ２へ伝えている。太字で示した、＜ｃｏｒｒｅｓｐｏｎｄｉｎｇＩＤ＞Ａ：１２３＜／ｃｏｒｒｅｓｐｏｎｄｉｎｇＩＤ＞の部分が第１の識別子を伝えるためのタグである。
【０１２１】
生成要求を受けたＰＶＲ２を構成するＵＰｎＰサービス７ｂは、第２の予約録画エントリを生成する（図６のステップＳ３５）。本実施の形態では、ＳＯＡＰアクションで入手したＸＭＬドキュメントにＯｂｊｅｃｔＩＤを付加することで生成する。ＯｂｊｅｃｔＩＤは先に説明したようにサービス内でユニークであり本実施の形態では６７８９という数字で例示している。
【０１２２】
生成した第２の予約録画エントリを図１３に示す。第２の予約録画エントリは第１の識別子Ａ：１２３を含んでいる。生成した第２の予約録画エントリはＰＶＲ２を構成する予約録画エントリ保存部８ｂに保存される。
【０１２３】
生成完了後、ＰＶＲ２を構成するＵＰｎＰサービス７ｂは、ＰＣ３ｂを構成するＵＰｎＰコントロールポイント６ｄへ生成が完了したことを通知する（図６のステップＳ３６）。通知はＳＯＡＰアクションで行われる。レスポンスには生成した第２の予約録画エントリが含まれている。
【０１２４】
レスポンスの例を図１４に示す。
【０１２５】
ＰＣ３ｂを構成するＵＰｎＰコントロールポイント６ｄは、図１４に示したレスポンスを受けた後、ＳＴＢ１を構成するＵＰｎＰサービス７ａが管理する第１の予約録画エントリに第２の識別子を付加するように要求する（図６のステップＳ３７）。
【０１２６】
第２の識別子は、ＰＶＲ２のＵＵＩＤであるＢと、ＰＶＲ２を構成するＵＰｎＰサービス７ｂに生成された第２の予約録画エントリのＯｂｊｅｃｔＩＤである６７８９を：（コロン）で結合したＢ：６７８９である。
【０１２７】
識別子を付加する要求の例を図２０に示す。前述したコンテンツディレクトリサービスで用いられるＵｐｄａｔｅＯｂｊｅｃｔ  ＳＯＡＰアクションと同様、付加するタグのＸＭＬフラグメントをＳＯＡＰアクションの引数に格納しＳＴＢ１へ伝える。実際に引数に格納する際はＸＭＬエスケープを行って格納するが、図２０では視認性を高めるためエスケープ前の形で表現している。太字で示した、＜ｃｏｒｒｅｓｐｏｎｄｉｎｇＩＤ＞Ｂ：６７８９＜／ｃｏｒｒｅｓｐｏｎｄｉｎｇＩＤ＞の部分が第２の識別子を伝えるためのタグである。
【０１２８】
生成要求を受けたＳＴＢ１を構成するＵＰｎＰサービス７ａは、第１の予約録画エントリを更新する（図６のステップＳ３８）。本実施の形態では、ＳＯＡＰアクションで入手したＸＭＬフラグメントを当該ＯｂｊｅｃｔＩＤの第２の予約録画エントリに付加することで生成する。
【０１２９】
更新した第１の予約録画エントリを図１５に示す。第１の予約録画エントリは第２の識別子Ｂ：６７８９を含んでいる。生成した第１の予約録画エントリはＳＴＢ１を構成する予約録画エントリ保存部８ａに保存される。
【０１３０】
以上のようにして、第１の予約録画エントリには第２の識別子が、第２の予約録画エントリには第１の識別子が、それぞれ含まれる。
【０１３１】
後日ユーザが家庭内ネットワーク４を介してＰＣ３からＰＶＲ２の予約録画情報の一覧を取得する場合を考える。
【０１３２】
ユーザはＰＣ３を構成するＵＰｎＰコントロールポイント６ｃを用いて、ＰＶＲ２を構成するＵＰｎＰサービス７ｂに予約録画エントリのリストを取得する（図６のステップＳ３９）。
【０１３３】
予約録画エントリのリスト取得の例を図１６に示す。前述したコンテンツディレクトリサービスで用いられるＢｒｏｗｓｅ  ＳＯＡＰアクションのレスポンスと同様、ＵＰｎＰサービス７ｂが管理する予約録画エントリ群を表すＸＭＬドキュメント群がＳＯＡＰアクションの引数に格納されてＵＰｎＰコントロールポイント６ｃへ返送される。
【０１３４】
ＰＣ３を構成するＵＰｎＰコントロールポイント６ｃは、１６２に示す第２の予約録画エントリがＵＵＩＤ＝ＡのＳＴＢ１のチューナ９ａを用いた予約録画エントリと関連していることを検出する（図６のステップＳ４０）。
【０１３５】
ＰＣ３を構成するＵＰｎＰコントロールポイント６ｃは１６２に示す第２の予約録画エントリの関連する、ＳＴＢ１の予約録画エントリの詳細情報を取得するため、ＳＴＢ１の予約録画エントリリスト取得する（図６のステップＳ４１）。
【０１３６】
図１７に予約録画エントリのリスト取得の例を示す。
【０１３７】
ＰＣ３を構成するＵＰｎＰコントロールポイント６ｃは、１７１に示す第１の予約録画エントリがＵＵＩＤ＝ＢのＰＶＲ２上の第２の予約録画エントリと関連していることを検出する。
【０１３８】
その結果、ＰＣ３を構成するＵＰｎＰコントロールポイント６ｃはステップＳ３９、Ｓ４０、Ｓ４１の結果をもとに、図３に示すような予約録画一覧をＧＵＩ１１ｃへ表示することが可能となる（図６のステップＳ４２）。
【０１３９】
なお、本発明の録画装置はＰＶＲ２に対応し、本発明の録画制御装置はＳＴＢ１に対応し、本発明の表示装置はＰＣ３に対応し、本発明の予約録画表示システムは本実施の形態の予約録画システムに対応する。また、本発明の表示手段はＵＰｎＰコントロールポイント６ｃに対応し、本発明の予約録画表示装置はＰＣ３に対応する。また、本発明の設定装置は、ＰＣ３ｂに対応する。
【０１４０】
（実施の形態４）
つぎに、実施の形態４の予約録画システムの構成および動作について説明する。
【０１４１】
図７は、実施の形態４のブロック図であって、前述の実施の形態１、２及び３で示したＳＴＢ１及びＰＶＲ１を始めとするＳＴＢやＰＶＲが家庭内に複数ある例を示している。１は第１の機器であるセットトップボックス（以下、ＳＴＢ）、２は第２の機器であるハードディスクを利用するパーソナルビデオレコーダ（以下、ＰＶＲ）、３はパーソナルコンピュータ（以下、ＰＣ）、１ｂはＳＴＢ１とは別のＳＴＢ、２ｂはＰＶＲ２とは別のＰＶＲ、４は家庭内ネットワーク、３ｂはＰＣ３とは別のＰＣである。それぞれの機器を構成する要素は先に示した実施の形態１、２及び３で示した各構成要素と同様であるので省略する。
【０１４２】
また各機器の関連する予約録画エントリが、予約録画エントリの識別子を互いに含むまでのステップも、先に示した実施の形態１、２及び３と同様であるので説明は省略する。
本実施の形態のポイントは予約録画エントリの識別子を互いに取得した後、ＧＵＩにどのように予約一覧表示を行うかである。
【０１４３】
そこで、実施の形態４の予約一覧表示を表した図である図８を主として参照しながら、本実施の形態の予約一覧表示を行う際の動作を説明する。
【０１４４】
図８において、家庭内ネットワーク４で互いに接続されたＳＴＢ１、ＳＴＢ１ｂ、ＰＶＲ２及びＰＶＲ２ｂを横方向に並べ、個々の予約録画を縦方向に並べる。
【０１４５】
例えば、予約録画タイトル「美術館めぐり」はＳＴＢ１とＰＶＲ２が連携し予約録画が行われることを示している。予約録画タイトル「英会話」はＰＶＲ２単独で予約録画が行われることを示している。予約録画タイトル「サッカー中継」はＳＴＢ１ｂとＰＶＲ２が連携し予約録画が行われることを示している。予約録画タイトル「野球中継」はＰＶＲ２ｂ単独で予約録画が行われることを示している。予約録画タイトル「リゾート紀行」はＳＴＢ１ｂとＰＶＲ２ｂが連携し予約録画が行われることを示している。
【０１４６】
以上のように実施の形態４の予約一覧表示方法によれば、家庭内の機器のどれとどれが連携し予約録画を実行するのかをユーザは直感的に知ることが出来る。ユーザは所望の予約録画のキャンセルや変更を行う場合のミスを回避でき、実用上非常に有用である。
【０１４７】
なお、本発明の録画装置はＰＶＲ２、ＰＶＲ２ｂに対応し、本発明の録画制御装置はＳＴＢ１、ＳＴＢ１ｂに対応し、本発明の表示装置はＰＣ３に対応し、本発明の予約録画表示システムは本実施の形態の予約録画システムに対応する。また、本発明の表示手段はＵＰｎＰコントロールポイント６ｃに対応し、本発明の予約録画表示装置はＰＣ３に対応する。また、本発明の設定装置は、ＰＣ３ｂに対応する。
【０１４８】
（実施の形態５）
つぎに、実施の形態５の予約録画システムの構成および動作について説明する。
【０１４９】
本実施の形態の構成は前述した実施の形態と４の構成と同様であり、本実施の形態と実施の形態４との違いは、得られた情報による予約一覧表示の仕方の違いである。
【０１５０】
そこで、実施の形態５の予約一覧表示を表した図である図９を主として参照しながら、本実施の形態の予約一覧表示を行う際の動作を説明する。
【０１５１】
図９において、家庭内ネットワーク４で互いに接続されたＳＴＢ１、ＳＴＢ１ｂ、ＰＶＲ２及びＰＶＲ２ｂを縦方向に並べ、横方向には日時を表示する。
【０１５２】
各機器の予約録画エントリは録画の開始時間から終了時間まで横方向に延びたバーで表示される。
【０１５３】
ここで、互いに関連する予約録画エントリは、同じ色、あるいは同じデザインを用いたバーを用いることでそれぞれの予約録画エントリが関連していることを視覚的に表現する。
【０１５４】
図９において、９１は予約録画タイトル「リゾート紀行」を示すバーであり、バー９１は１２月２１日１９：００から２１：００まで、４チャンネルをＰＶＲ２が単独で自身のチューナを用いて録画することを示している。９３ａ及び９３ｂは予約録画タイトル「サッカー中継」を示すバーであり、バー９３は１２月２２日０１：００から０５：００まで、ＳＴＢ１ｂのケーブルチューナチャンネル３２を、ＰＶＲ２がＬＩＮＥ入力で録画することを示している。
【０１５５】
また各機器の名称としてはＵＰｎＰで規定されているユーザフレンドリーネームのタグを用いれば、ユーザが認識しやすい名称を表示することが可能である。図９の例では、ＰＶＲ２に「パパのＰＶＲ」、ＰＶＲ２ａに「賢治のＰＶＲ」の如く名称を付加している。
【０１５６】
以上のように実施の形態５の予約一覧表示方法によれば、家庭内の機器のどれとどれが連携し予約録画を実行するのかを文字情報だけでなくグラフィカルに表現することで、ユーザは直感的かつ視覚的に知ることが出来る。小さい子供や年配の方でも確実に予約録画の機器間の連携を理解でき、実用上きわめて有用である。
【０１５７】
以上においては、実施の形態１〜５について詳細に説明した。
【０１５８】
このようにして、家庭内のどの機器とどの機器が連携して予約録画を行うのかを、他の機器から簡単に知るという目的を、最小のステップ数で、かつ高い信頼性で実現できる。
【０１５９】
また、家庭内ネットワークを介して互いに接続された予約録画機器を複数台用いて、予約録画を行う用途に適用する際に。予約録画エントリに替えて記録済みコンテンツの情報（メタデータ）に用いれば、記録済みコンテンツの相互関連情報を統合的に表示する用途にも適用できる。
【０１６０】
なお、本発明のプログラムは、上述した本発明の予約録画表示方法の全部または一部のステップの動作をコンピュータにより実行させるためのプログラムであって、コンピュータと協働して動作するプログラムである。
【０１６１】
また、本発明の記録媒体は、上述した本発明の予約録画表示方法の全部または一部のステップの全部または一部の動作をコンピュータにより実行させるためのプログラムを担持した記録媒体であり、コンピュータにより読み取り可能かつ、読み取られた前記プログラムが前記コンピュータと協動して前記動作を実行する記録媒体である。
【０１６２】
なお、本発明の上記「一部のステップ」とは、それらの複数のステップの内の、一つまたは幾つかのステップを意味する。
【０１６３】
また、本発明の上記「ステップの動作」とは、前記ステップの全部または一部の動作を意味する。  
【０１６４】
また、本発明のプログラムの一利用形態は、コンピュータにより読み取り可能な記録媒体に記録され、コンピュータと協働して動作する態様であっても良い。
【０１６５】
また、本発明のプログラムの一利用形態は、伝送媒体中を伝送し、コンピュータにより読みとられ、コンピュータと協働して動作する態様であっても良い。
【０１６６】
また、記録媒体としては、ＲＯＭ等が含まれ、伝送媒体としては、インターネット等の伝送媒体、光・電波・音波等が含まれる。
【０１６７】
また、上述した本発明のコンピュータは、ＣＰＵ等の純然たるハードウェアに限らず、ファームウェアや、ＯＳ、更に周辺機器を含むものであっても良い。
【０１６８】
なお、以上説明した様に、本発明の構成は、ソフトウェア的に実現しても良いし、ハードウェア的に実現しても良い。
【産業上の利用可能性】
【０１６９】
本発明にかかる予約録画表示システム、予約録画表示装置、予約録画表示方法、プログラム、および記録媒体は、たとえば、家庭内のネットワーク対応の予約録画機器を複数台用いて予約録画を行う場合、家庭内のどの機器と、どの機器が連携して予約録画を行うのかを、簡単に知ることができ、有用である。
【図面の簡単な説明】
【０１７０】
【図１】本発明の実施の形態１の予約録画システムのブロック図
【図２】本発明の実施の形態１の予約録画システムの動作説明図
【図３】本発明の実施の形態１の予約録画システムの予約一覧表示の説明図
【図４】本発明の実施の形態２の予約録画システムの動作説明図
【図５】本発明の実施の形態３の予約録画システムのブロック図
【図６】本発明の実施の形態３の予約録画システムの動作説明図
【図７】本発明の実施の形態４の予約録画システムのブロック図
【図８】本発明の実施の形態４の予約録画システムの予約一覧表示の説明図
【図９】本発明の実施の形態５の予約録画システムの予約一覧表示の説明図
【図１０】本発明の実施の形態１の予約録画システムのＳＴＢ１に設定する第１の予約録画情報の説明図
【図１１】本発明の実施の形態１の予約録画システムのＰＶＲ２に設定する第２の予約録画情報の説明図
【図１２】本発明の実施の形態１の予約録画システムの予約録画エントリの生成要求の説明図
【図１３】本発明の実施の形態１の予約録画システムの第２の予約録画エントリの説明図
【図１４】本発明の実施の形態１の予約録画システムの予約録画エントリの生成要求レスポンスの説明図
【図１５】本発明の実施の形態１の予約録画システムの第１の予約録画エントリの説明図
【図１６】本発明の実施の形態１の予約録画システムの予約録画エントリのリスト取得の説明図
【図１７】本発明の実施の形態１の予約録画システムの予約録画エントリのリスト取得の説明図
【図１８】本発明の実施の形態３の予約録画システムの予約録画エントリの生成要求の説明図
【図１９】本発明の実施の形態３の予約録画システムの予約録画エントリの生成要求レスポンスの説明図
【図２０】本発明の実施の形態３の予約録画システムの予約録画エントリへ識別子を付加する要求の説明図
【符号の説明】
【０１７１】
１  ＳＴＢ
２  ＰＶＲ
３  ＰＣ
４  家庭内ネットワーク
５ａ  ネットワークインターフェイス
５ｂ  ネットワークインターフェイス
５ｃ  ネットワークインターフェイス
６ａ  コントロールポイント
６ｃ  コントロールポイント
７ａ  ＵＰｎＰサービス
７ｂ  ＵＰｎＰサービス
８ａ  予約録画エントリ保存部
８ｂ  予約録画エントリ保存部
９ａ  チューナ
９ｂ  チューナ
１０  録画手段
１１ａ  ＧＵＩ
１１ｃ  ＧＵＩ
【図１】
2006115400.tif 000003
【図２】
2006115400.tif 000004
【図３】
2006115400.tif 000005
【図４】
2006115400.tif 000006
【図５】
2006115400.tif 000007
【図６】
2006115400.tif 000008
【図７】
2006115400.tif 000009
【図８】
2006115400.tif 000010
【図９】
2006115400.tif 000011
【図１０】
2006115400.tif 000012
【図１１】
2006115400.tif 000013
【図１２】
2006115400.tif 000014
【図１３】
2006115400.tif 000015
【図１４】
2006115400.tif 000016
【図１５】
2006115400.tif 000017
【図１６】
2006115400.tif 000018
【図１７】
2006115400.tif 000019
【図１８】
2006115400.tif 000020
【図１９】
2006115400.tif 000021
【図２０】
2006115400.tif 000022